(57)【要約】      （修正有）【課題】サイフォンの原理を利用し、使用エネルギーが少なく、効率の高い水力発電の方法を提供する。【解決手段】上段側水槽１４の密着膨張材８を膨らませて、下段側水槽１３の壁面に軽く密着させ、水は、通さないけれども、下段側水槽の水位の変化に合わせて上段側水槽が上下には、動ける様にする。この状態で、上部水槽１の水を下部の上段側水槽に送水して発電し、発電を終えた水を上段側水槽に貯めていく。上段側水槽内に水が貯まると水の量に比例した力で下段側水槽の水を押し付けるため、押された水は下段側通水開閉弁１０を通り逆送水配管１２の中を押されて上部水槽に戻る。戻ってきた水を繰り返し発電に使用する。上段側水槽は、下降を続け、水の重さで下段側水槽内の水を押し続けて、水を上部水槽に戻し続け、底部クッション材９に当たると下降を停止する。【選択図】図１
2014009648.tif 000002
【特許請求の範囲】
【請求項１】
上部水槽の水を下部の２段式水槽に、送水して発電し、前記発電を
終えた、前記水を前記上部水槽に送り返し、前記水を繰り返し前記発電
に使う事を特徴とする
２段式水槽水力発電システム。
【請求項２】
前記２段式水槽は、上段側水槽と下段側水槽で構成され、前記上段側
水槽の直径は、前記下段側水槽の直径より、小さく、前記下段側水槽の
内側に配置され、前記下段側水槽の水位が、上下に変動する時に、
前記上段側水槽は、浮力により、上下に変動する
事を特徴とする請求項１に記載の
２段式水槽水力発電システム。
【請求項３】
前記上段側水槽は、底部に上段側通水開閉弁と密着膨張材を有し、
底部クッション材を前記下段側水槽か前記上段側水槽に取り付けし、
前記下段側水槽は、底部に下段側通水開閉弁を
有する事を特徴とする請求項１〜２の何れか１項に記載の
２段式水槽水力発電システム。
【発明の詳細な説明】
【技術分野】
【０００１】
近年、原子力発電の神話が揺らぎ、電力不足に陥り、節電の重要性と、
必然性が叫ばれています。最近は、企業のみならず、一般家庭でも、
節電への協力、努力が、不可欠と成って来ています。太陽光発電や照明
のLED化等、いろんな形で節電が実施されています。
【０００２】
電力不足を補う為に、休止中の火力発電所を再稼働させたりしていま
すが、燃料代が高い為に、電気料金値上げなどの声も上がって来ていま
す。燃料費が安く、効率のよい発電が切に求められています。
【０００３】
明日、平成24年7月1日から、再生可能エネルギーの買取制度が
スタートします。自然エネルギーを高い効率で回収することが、
今後の大きなテーマです。その方法、若しくは、技術確率する事が、
大きな課題です。
【背景技術】
【０００４】
特願2012-023800が、サイフォン管を利用した水力発電
システムが、述べられています。      
【先行技術文献】
【特許文献】
【０００５】
【特許文献１】特願2012-023800
【発明の概要】
【発明が解決しようとする課題】
【０００６】
特願2012-023800の、請求項１に述べられている、「他の水槽は、
前記他の水槽を上下させる上下装置にセットされ、」の上下装置を
開発する事、若しくは、発電に使った水を、繰り返し発電に使える状態
にする為に、元の水槽に、送り返す方法を開発する事を課題とします。
【課題を解決するための手段】
【０００７】
上部水槽の水を下部の２段式水槽に、送水して発電し、前記発電を
終えた、前記水を前記上部水槽に送り返し、前記水を繰り返し前記発電
に使う事を特徴とします。
【０００８】
前記２段式水槽は、上段側水槽と下段側水槽で構成され、前記上段側
水槽の直径は、前記下段側水槽の直径より、小さく、前記下段側水槽の
内側に配置され、前記下段側水槽の水位が、上下に変動する時に、
前記上段側水槽は、浮力により、上下に変動する
事を特徴とします。
【０００９】
前記上段側水槽は、底部に上段側通水開閉弁と密着膨張材で構成され、
底部クッション材を前記下段側水槽か前記上段側水槽に取り付けし、
前記下段側水槽は、底部に下段側通水開閉弁を
有する事を特徴とします。
【００１０】
上部水槽の水を下部の２段式水槽に、送水して発電し、発電を終えた、    水を下段側水槽に貯めていきます。下段側水槽の水位が上がると、中に
有る上段側水槽が、浮力を受けて浮き上がります。下段側水槽の水位が    満水前に成ると、下段側水槽への送水を止めます。下段側水槽の下段側
通水開閉弁を開くと、下段側水槽内の水が、逆送水配管の中に入り、
下段側水槽内の水位と同じ位置で止まります。ここで、上段側水槽の
密着膨張材を膨らませて、下段側水槽の壁面に軽く密着させ、水は、
通さないけれども、下段側水槽の水位の変化に合わせて、上段側水槽が、    上下には、動ける様にします。この状態で、上部水槽の水を下部の
上段側水槽に、送水して発電し、発電を終えた、水を上段側水槽に貯め
ていきます。
上段側水槽内に水が貯まると、水の量に比例した力で、下段側水槽の
水を押し付けます。押された水は、下段側通水開閉弁が開いています
ので、下段側水槽内の水が、逆送水配管の中を押されて、上部水槽に戻
ります。戻ってきた水を繰り返し発電に使用します。
上段側水槽は、下降を続け、水の重さで下段側水槽内の水を押し続けて、
水を上部水槽に戻し続け、底部クッション材に当たると下降を停止
します。
【００１１】
上段側水槽は、下降を止めると、上段側水槽の密着膨張材を縮ませて、
上段側水槽の動きをスムーズにし、且つ、上段側通水開閉弁を開いて、
上段側水槽の水を、下段側水槽に放流します。
【００１２】
自然放流が済んで、下段側水槽に水が貯まったら、上段側通水開閉弁を
閉じて、上段側水槽をもう少し浮かせたい時は、下段側水槽に送水し、
このままで良い時は、上段側水槽に送水して、上段側水槽を重くして、    逆送水配管の中を押して、上部水槽に戻します。戻ってきた水を繰り返
し発電に使用します。
【発明の効果】
【００１３】
特願2012-023800は、私が出している出願ですが、上部に有る水槽から
下部に有る水槽に、サイフォン状に配管し、ポンプ等の動力を使わずに
送水して、発電し、下部の水槽が満杯に成ったら、上下装置で、下部の
水槽を上部水槽より高く上げて、下部水槽から上部水槽に送水して発電      し、同じ水を捨てずに、何回も使って発電する、省エネシステムです。
【００１４】
本発明は、水槽を２段式にして、水槽の重さと、水の自重を利用し、
水圧を上げて、上部水槽まで逆送水配管を使い、水を送り返す事が可能
であり、特願2012-023800に述べてある、上下装置と同様の能力は、
出してくれると考えます。
【００１５】
特願2012-023800と本発明を組み合わせれば、水循環型で、無動力の
発電所が、どこででも作れると考えます。
【図面の簡単な説明】
【００１６】
【図１】水槽３個に送水配管２本を配置したイメージ図
【図２】２段式水槽イメージ図
【図３】２段式水槽イメージ図
【図４】２段式水槽イメージ図
【図５】２段式水槽イメージ図
【図６】２段式水槽イメージ図
【図７】２段式水槽イメージ図
【符号の説明】
【００１７】
１            上部水槽
２            減圧ポンプ
３            水力発電機
４            仕切弁
７            上段側通水開閉弁        
８            密着膨張材
９            底部クッション材
１０            下段側通水開閉弁
１１            送水配管
１２            逆送水配管
１３            下段側水槽
１４            上段側水槽
【発明を実施するための形態】
【００１８】
以下、本発明の実施の形態を図に基づいて説明します。
図１の図面は、上部水槽１の水を下部の２段式水槽に、送水して発電し、
発電を終えた、水を下段側水槽１３に貯めていきます。
【００１９】
図２の図面は、下段側水槽１３の水位が上がると、中に有る上段側水槽
１４が、浮力を受けて浮き上がります。
【００２０】
図３の図面は、下段側水槽１３の水位が、満水前に成ると、下段側水槽
１３への送水を止めます。下段側水槽１３の下段側通水開閉弁１０を開
くと、下段側水槽１３内の水が、逆送水配管１２の中に入り、下段側
水槽１４内の水位と同じ位置で止まります。ここで、上段側水槽１４の
密着膨張材８を膨らませて、下段側水槽１３の壁面に軽く密着させ、
水は、通さないけれども、下段側水槽１３の水位の変化に合わせて、
上段側水槽１４が、上下には、動ける様にします。
この状態で、上部水槽１の水を下部の上段側水槽１４に、送水して発電
し、発電を終えた、水を上段側水槽１４に貯めていきます。
【００２１】
図４の図面は、上段側水槽１４内に水が貯まると、水の量に比例した力で、
下段側水槽１３の水を押し付けます。押された水は、下段側通水開閉弁
１０が開いていますので、下段側水槽１３内の水が、逆送水配管１２の中
を押されて、上部水槽１に戻ります。戻ってきた水を繰り返し発電に使用
します。
上段側水槽１４は、下降を続け、水の重さで下段側水槽１３内の水を押し
続けて、水を上部水槽１に戻し続け、底部クッション材９に当たると下降
を停止します。
【００２２】
図５の図面は、上段側水槽１４は、下降を止めると、上段側水槽１４の
密着膨張材８を縮ませて、上段側水槽１４の動きをスムーズにし、且つ、
上段側通水開閉弁７を開いて、上段側水槽１４の水を、下段側水槽１３に
放流します。
【００２３】
図６の図面は、自然放流が済んで、下段側水槽１３に水が貯まったら、
上段側通水開閉弁７を閉じて、上段側水槽１４をもう少し浮かせたい時は、
下段側水槽１３に送水し、このままで良い時は、上段側水槽１４に送水し
て、上段側水槽１４を重くして、逆送水配管の中を押して、上部水槽１に
戻します。戻ってきた水を繰り返し発電に使用します。
【００２４】
図７の図面は、密着膨張材８を側面に取り付け、底部クッション材９を
長くした、イメージ図です。
【図１】
2014009648.tif 000003
【図２】
2014009648.tif 000004
【図３】
2014009648.tif 000005
【図４】
2014009648.tif 000006
【図５】
2014009648.tif 000007
【図６】
2014009648.tif 000008
【図７】
2014009648.tif 000009
【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
上部水槽から下部の２段式水槽に、サイフォン状に送水配管を配管し、前記
送水配管の前記２段式水槽側に仕切弁、減圧ポンプと水力発電機を有し、
上部水槽の水を下部の前記２段式水槽に、送水して発電し、前記発電を終え
た、前記水を前記２段式水槽から前記上部水槽に送り返す逆送水配管を有し
前記２段式水槽は、上段側水槽と下段側水槽で構成され、前記上段側水槽は前
記下段側水槽より、小さく、前記下段側水槽の内側に配置され、前記下段側水
槽の水位が、上下に変動する時に、前記上段側水槽は、浮力により、上下に変
動し、前記下段側水槽に前記上部水槽から前記水を前記送水配管を介し送水し、
前記下段側水槽が任意の水位になった際、前記送水配管の送水先を前記上段側
水槽に切替て、前記上段側水槽は、底部に上段側通水開閉弁と密着膨張材を有
し、底部クッション材を前記下段側水槽か前記上段側水槽に取り付けし、前記
下段側水槽は、底部に下段側通水開閉弁を有する事を特徴とする
２段式水槽水力発電システム。